(57)【要約】【課題】防水構造を有して本体の側部に操作ボタンが配備されている電子機器において、部品点数や組立工数を削減する。【解決手段】本発明に係る電子機器は、一対の本体シャーシ２、４を有する本体と、該本体の表面と背面を覆って配備された一対のカバーパネル３、５とから構成され、本体１の側部にはスイッチユニット９が配備されると共に、一対のカバーパネル３、５の間には操作ボタン７が挟持されている。一方の本体シャーシ２には、他方の本体シャーシ４との接合面に凹設されてスイッチユニット９の収容室を形成すべき収容凹部21と、一方の本体シャーシ２の側面から収容凹部21へ向けて貫通する貫通孔20とが形成され、操作ボタン７の押し子73が貫通孔20内を貫通し、該貫通孔20には、操作ボタン７の押し子73を収容する袋状の防水パッキン部材８が装着され、該防水パッキン部材８の端部がスイッチユニット９に圧接されている。【選択図】図３３
2014120203.tif 000002
【特許請求の範囲】
【請求項１】
防水構造を有して電子部品を内蔵した本体と、該本体の表面と背面を覆って配備された一対のカバーパネルとから構成され、前記本体は、互いに接合された一対の本体シャーシを具え、前記本体の側部には接点部を有するスイッチユニットが配備されると共に、前記一対のカバーパネルの間には、前記スイッチユニットの接点部を押圧すべき押し子が突設された操作ボタンが挟持されている電子機器において、
前記本体シャーシの内、少なくとも何れか一方の本体シャーシには、他方の本体シャーシとの接合面に凹設されて前記スイッチユニットの収容室を形成すべき収容凹部と、前記一方の本体シャーシの側面から前記収容凹部へ向けて貫通する貫通孔とが形成され、前記操作ボタンの押し子が前記スイッチユニットの接点部に向かって前記貫通孔内を貫通し、該貫通孔には、前記スイッチユニット側に凹んで前記操作ボタンの押し子を収容する袋状の防水パッキン部材が装着され、該防水パッキン部材の端部がスイッチユニットに圧接されて、該スイッチユニットが前記収容凹部内に拘持されていることを特徴とする電子機器。
【請求項２】
前記防水パッキン部材は、前記操作ボタンの押し子の先端面とスイッチユニットの接点部との間に介在する底壁部を有し、該底壁部がスイッチユニットの接点部に圧接されている請求項１に記載の電子機器。
【請求項３】
前記操作ボタンは、その外周部に、押し子の突出方向とは直交する方向へ拡大するリブを有し、該リブは、前記一方の本体シャーシ側へ突出する第１リブ部と、前記他方の本体シャーシ側へ突出する第２リブ部と具え、前記一方の本体シャーシに一方のカバーパネルが取り付けられることによって、前記第１リブ部を収容すべき第１溝部が形成されると共に、前記他方の本体シャーシに他方のカバーパネルが取り付けられることによって、前記第２リブ部を収容すべき第２溝部が形成され、前記第１リブ部の突出量は前記第２リブ部の突出量よりも小さく設定されている請求項１又は請求項２に記載の電子機器。
【発明の詳細な説明】
【技術分野】
【０００１】
本発明は、防水構造を有して本体の側部に操作ボタンが配備されている電子機器に関するものである。
【背景技術】
【０００２】
従来、この種の電子機器においては、防水構造を有する本体の表面と背面を覆って一対のカバーパネルが配備されており、該本体は、互いに接合された一対の本体シャーシを具え、該本体の側部にはタクトスイッチを搭載したスイッチユニットが配備されると共に、前記一対のカバーパネルの間には、スイッチユニットのタクトスイッチを押圧すべき操作ボタンが挟持されている。
【０００３】
この様な電子機器においては、本体の側部に操作ボタンの押し子が貫通する貫通孔が開設されることになることから、該貫通孔から本体内部への水の浸入を阻止するための防水構造が必要となる。
そこで、従来より種々の防水構造が提案されている(特許文献１、２)。
【先行技術文献】
【特許文献】
【０００４】
【特許文献１】特開２００１−２２２９２７号公報
【特許文献２】特開２００９−５４４３０号公報
【発明の概要】
【発明が解決しようとする課題】
【０００５】
ところで、本体の側部に操作ボタンが配備されている電子機器の組立工程においては、本体を組み立てる際、一方の本体シャーシに形成された収容凹部にスイッチユニットを収容し、該スイッチユニットを収容凹部内に接着テープで固定した後、該本体シャーシに対して他方の本体シャーシを接合し、この状態で本体の表面と背面を覆って一対のカバーパネルを取り付けることが行なわれている。
【０００６】
この様に、スイッチユニットを収容凹部内に接着テープで固定する必要があったため、部品点数が増えるばかりでなく、組立工数が増える問題があった。
そこで本発明の目的は、防水構造を有して本体の側部に操作ボタンが配備されている電子機器において、部品点数や組立工数を削減することである。
【課題を解決するための手段】
【０００７】
本発明に係る防水構造を有する電子機器は、防水構造を有して電子部品を内蔵した本体(１)と、該本体(１)の表面と背面を覆って配備された一対のカバーパネル(３)(５)とから構成され、前記本体(１)は、互いに接合された一対の本体シャーシ(２)(４)を具え、前記本体(１)の側部には接点部を有するスイッチユニット(９)が配備されると共に、前記一対のカバーパネル(３)(５)の間には、前記スイッチユニット(９)の接点部を押圧すべき押し子(73)が突設された操作ボタン(７)が挟持されている。
【０００８】
前記本体シャーシ(２)(４)の内、少なくとも何れか一方の本体シャーシ(２)には、他方の本体シャーシ(４)との接合面に凹設されて前記スイッチユニット(９)の収容室を形成すべき収容凹部(21)と、前記一方の本体シャーシ(２)の側面から前記収容凹部(21)へ向けて貫通する貫通孔(20)とが形成されている。
【０００９】
そして、前記操作ボタン(７)の押し子(73)が前記スイッチユニット(９)の接点部に向かって前記貫通孔(20)内を貫通し、該貫通孔(20)には、前記スイッチユニット(９)側に凹んで前記操作ボタン(７)の押し子(73)を収容する袋状の防水パッキン部材(８)が装着されている。
ここで、前記防水パッキン部材(８)の端部がスイッチユニット(９)に圧接されて、該スイッチユニット(９)が前記収容凹部(21)内に拘持されている。
【００１０】
上記本発明の電子機器の組立工程においては、前記一方の本体シャーシ(２)を収容凹部(21)が上方に向かって開口する姿勢に保持した状態で、収容凹部(21)にスイッチユニット(９)を収容した後、該一方の本体シャーシ(２)に対して他方の本体シャーシ(４)を組み付け、その後、一方の本体シャーシ(２)の貫通孔(20)に防水パッキン部材(８)を装着する。そして、本体(１)の表面と背面を覆って一対のカバーパネル(３)(５)を組み付けると共に、両カバーパネル(３)(５)の間に操作ボタン(７)を挟持する。
【００１１】
これによって、防水パッキン部材(８)の端部がスイッチユニット(９)の表面に圧接されて、該防水パッキン部材(８)の弾性反発力によってスイッチユニット(９)は収容凹部(21)内に拘持されることになる。
従って、防水パッキン部材(８)を接着テープ等によって収容凹部(21)内に固定する必要はない。
【００１２】
具体的態様において、前記防水パッキン部材(８)は、前記操作ボタン(７)の押し子(73)の先端面とスイッチユニット(９)の接点部との間に介在する底壁部(83)を有し、該底壁部(83)がスイッチユニット(９)の接点部に圧接されている。
該具体的態様によれば、防水パッキン部材(８)の底壁部(83)がスイッチユニット(９)の接点部に圧接されて、該防水パッキン部材(８)の弾性反発力によってスイッチユニット(９)が収容凹部(21)内に拘持されることになる。
【００１３】
更に具体的な態様において、前記操作ボタン(７)は、その外周部に、押し子(73)の突出方向とは直交する方向へ拡大するリブ(72)を有し、該リブ(72)は、前記一方の本体シャーシ(２)側へ突出する第１リブ部(72a)と、前記他方の本体シャーシ(４)側へ突出する第２リブ部(72b)と具え、前記一方の本体シャーシ(２)に一方のカバーパネル(３)が取り付けられることによって、前記第１リブ部(72a)を収容すべき第１溝部(13)が形成されると共に、前記他方の本体シャーシ(４)に他方のカバーパネル(３)が取り付けられることによって、前記第２リブ部(72b)を収容すべき第２溝部(14)が形成され、前記第１リブ部(72a)の突出量Ｗ１は前記第２リブ部(72b)の突出量Ｗ２よりも小さく設定されている。
【００１４】
該具体的態様を有する電子機器の組立工程においては、前記一方の本体シャーシ(２)を下側、前記他方の本体シャーシ(４)を上側に配置して、本体(１)を組み立てた後、該一方の本体シャーシ(２)に対して一方のカバーパネル(３)を組み付ける。これによって、一方の本体シャーシ(２)と一方のカバーパネル(３)の係合部には、上方へ開口する第１溝部(13)が形成されることなる。
【００１５】
その後、第１溝部(13)に対して、操作ボタン(７)の第１リブ部(72a)を差し込むと共に、操作ボタン(７)の押し子(73)を防水パッキン部材(８)の内部に挿入する。操作ボタン(７)の第１リブ部(72a)を第１溝部(13)に差し込む際、第１リブ部(72a)の突出量は短く設定されているので、操作ボタン(７)を僅かに斜めに傾けることによって、操作ボタン(７)の第１リブ部(72a)を第１溝部(13)に差し込むと共に、操作ボタン(７)の押し子(73)を防水パッキン部材(８)の内部に挿入することが出来る。
【００１６】
そして、一方の本体シャーシ(２)と一方のカバーパネル(３)に操作ボタン(７)を係合させた状態で、他方の本体シャーシ(４)に対して他方のカバーパネル(５)を取り付ける。これによって、操作ボタン(７)の第２リブ部(72b)が第２溝部(14)に差し込まれ、その結果、操作ボタン(７)が両カバーパネル(３)(５)の間に挟持されることになる。
【発明の効果】
【００１７】
本発明に係る防水構造を有する電子機器によれば、組立工程において防水パッキン部材(８)を接着テープ等によって収容凹部(21)内に固定する必要がないので、部品点数が減少すると共に組立工数が減少する。
【図面の簡単な説明】
【００１８】
【図１】図１は、本発明の一実施態様である情報端末機の表面を示す斜視図である。
【図２】図２は、該情報端末機の背面を示す斜視図である。
【図３】図３は、該情報端末機の表面側の構成を表わす分解斜視図である。
【図４】図４は、該情報端末機の背面側の構成を表わす分解斜視図である。
【図５】図５は、該情報端末機を裏返した状態で背面側の構成を表わす分解斜視図である。
【図６】図６は、該情報端末機を裏返した状態で表面側の構成を表わす分解斜視図である。
【図７】図７は、操作ボタンの斜視図である。
【図８】図８は、該操作ボタンを異なる方向から見た斜視図である。
【図９】図９は、防水パッキン部材の斜視図である。
【図１０】図１０は、該防水パッキン部材を異なる方向から見た斜視図である。
【図１１】図１１は、スイッチユニットの斜視図である。
【図１２】図１２は、該スイッチユニットを異なる方向から見た斜視図である。
【図１３】図１３は、組立工程の第１段階を示す斜視図である。
【図１４】図１４は、該第１段階を裏返しの状態で示す斜視図である。
【図１５】図１５は、図１４のＸ−Ｘ線に沿う断面図である。
【図１６】図１６は、図１５のＡ部を拡大した断面図である。
【図１７】図１７は、組立工程の第２段階を示す斜視図である。
【図１８】図１８は、該第２段階を裏返しの状態で示す斜視図である。
【図１９】図１９は、図１８のＸ−Ｘ線に沿う断面図である。
【図２０】図２０は、図１９のＢ部を拡大した断面図である。
【図２１】図２１は、組立工程の第３段階を示す斜視図である。
【図２２】図２２は、該第３段階を裏返しの状態で示す斜視図である。
【図２３】図２３は、図２２のＸ−Ｘ線に沿う断面図である。
【図２４】図２４は、図２３のＣ部を拡大した断面図である。
【図２５】図２５は、組立工程の第４段階を示す斜視図である。
【図２６】図２６は、該第４段階を裏返しの状態で示す斜視図である。
【図２７】図２７は、図２６のＸ−Ｘ線に沿う断面図である。
【図２８】図２８は、図２７のＤ部を拡大した断面図である。
【図２９】図２９は、組立工程の第５段階を示す斜視図である。
【図３０】図３０は、該第５段階を裏返しの状態で示す斜視図である。
【図３１】図３１は、図３０のＸ−Ｘ線に沿う断面図である。
【図３２】図３２は、図３１のＥ部を拡大した断面図である。
【図３３】図３３は、図３２の要部を更に拡大した断面図である。
【発明を実施するための形態】
【００１９】
以下、本発明を情報端末機に実施した形態につき、図面に沿って具体的に説明する。
本発明の一実施形態である情報端末機は、図１及び図２に示す如く、ディスプレイ(10)や電子回路を内蔵した扁平直方体状の本体(１)を具え、該本体(１)の表面が合成樹脂製の前面側カバーパネル(３)によって覆われると共に、該本体(１)の背面が合成樹脂製の背面側本体シャーシ(４)によって覆われており、表面からはディスプレイ(10)の画面が露出し、側面には複数の操作ボタン(７)が配備され、背面には蓋体(６)が取り付けられている。
【００２０】
図３及び図４、並びに図５及び図６に示す様に、本体(１)は、前面側本体シャーシ(２)と背面側本体シャーシ(４)とを互いに接合して構成され、両本体シャーシ(２)(４)の間にはＯリング(11)が介在して、本体(１)の防水が図られている。
【００２１】
前面側カバーパネル(３)は、前面側本体シャーシ(２)に対してフック機構により取り付けられ、背面側本体シャーシ(４)は、背面側カバーパネル(５)に対してフック機構により取り付けられる。
又、背面側本体シャーシ(４)に電池収容室を包囲する周壁(40)が形成されており、該電池収容室は、蓋体(６)によって液密に塞がれる。
【００２２】
図３及び図６に示す如く、前面側本体シャーシ(２)の側部には複数のスイッチユニット(９)が配備される。スイッチユニット(９)は、図１１及び図１２に示す如く、フレキシブル基板(91)の表面に１或いは複数のタクトスイッチ(92)を搭載して構成されている。
【００２３】
又、図３及び図６に示す如く、前面側本体シャーシ(２)の側部には、前記スイッチユニット(９)のタクトスイッチ(92)を押圧すべき複数の操作ボタン(７)が配備される。操作ボタン(７)は、図７及び図８に示す如く、操作の対象となる頭部(71)と、該頭部(71)の背面から突出する押し子(73)と、該頭部(71)の外周面から押し子(73)の突出方向とは直交する方向に拡大するリブ(72)とを具えている。
【００２４】
操作ボタン(７)のリブ(72)は、図６に示す如く本体(１)が前記ディスプレイ(10)を下方に向けた姿勢を基準として、図７及び図８の如く下方へ突出する第１リブ部(72a)と、上方へ突出する第２リブ部(72b)と、左右へ突出する第３リブ部(72c)及び第４リブ部(72d)とから構成されている。
【００２５】
ここで、リブ(72)の第２リブ部(72b)、第３リブ部(72c)及び第４リブ部(72d)はそれぞれ、最終的に両カバーパネル(３)(５)の間に挟持された状態で確実な保持力が得られることとなる十分な突出量に形成されているのに対し、図３３に示す如く、第１リブ部(72a)の突出量Ｗ１は、第２リブ部(72b)の突出量Ｗ２よりも小さく設定されている。
【００２６】
図３に示す如く、前面側本体シャーシ(２)の側壁には、各スイッチユニット(９)のタクトスイッチ(92)へ向けて各操作ボタン(７)の押し子(73)を貫通させるための貫通孔(20)が開設されている。
そして、該貫通孔(20)には、該貫通孔(20)を封止するためのシリコンゴム製の防水パッキン部材(８)が装着される。防水パッキン部材(８)は、図９及び図１０に示す如く全体が有底袋状に形成され、中央孔を有する平板部(81)と、該平板部(81)の中央部から突出する円筒状の周壁部(82)と、該周壁部(82)の突出端部を塞ぐ底壁部(83)とを具えており、周壁部(82)内に前記操作ボタン(７)の押し子(73)が収容される。
【００２７】
上記情報端末機においては、図３２及び図３３に示す如く、前面側本体シャーシ(２)の側壁と背面側本体シャーシ(４)の側壁とが互いに対向する対向部には、前面側本体シャーシ(２)側に収容凹部(21)が凹設されると共に、背面側本体シャーシ(４)側に収容凹部(41)が凹設されて、両収容凹部(21)(41)によってスイッチユニット(９)の収容室が形成されている。
【００２８】
そして、該収容室内のスイッチユニット(９)のタクトスイッチ(92)の表面には、防水パッキン部材(８)の底壁部(83)の先端面が圧接されている。この状態で、スイッチユニット(９)は、防水パッキン部材(８)の弾性反発力によって収容凹部(21)内に拘持されている。
【００２９】
ここで、防水パッキン部材(８)とスイッチユニット(９)の位置関係は、防水パッキン部材(８)が図３３の如く前面側本体シャーシ(２)の貫通孔(20)に挿入された組立状態で底壁部(83)がスイッチユニット(９)のタクトスイッチ(92)の表面に押し付けられて防水パッキン部材(８)に所定の弾性変形量Ｓ(例えば０.０２５ｍｍ〜０.０５ｍｍ)が生じるが、この防水パッキン部材(８)の弾性反発力によってはタクトスイッチ(92)がオンとはならない様に設計されている。
【００３０】
尚、操作ボタン(７)の押し子(73)の外周面と防水パッキン部材(８)の内周面との間には僅かな隙間が設けられている。又、操作ボタン(７)の押し子(73)の先端面と防水パッキン部材(８)の底壁部(83)との間には、０以上の極僅かな隙間が設けられている。
【００３１】
又、前面側本体シャーシ(２)に前面側カバーパネル(３)が取り付けられると共に、背面側本体シャーシ(４)に背面側カバーパネル(５)が取り付けられることによって、前面側本体シャーシ(２)及び前面側カバーパネル(３)と背面側本体シャーシ(４)及び背面側カバーパネル(５)とが対向する対向部には、前面側本体シャーシ(２)及び前面側カバーパネル(３)に跨る第１溝部(13)が形成されると共に、背面側本体シャーシ(４)及び背面側カバーパネル(５)に跨る第２溝部(14)が形成されている。
【００３２】
そして、第１溝部(13)に操作ボタン(７)の第１リブ部(72a)が差し込まれると共に、第２溝部(14)に操作ボタン(７)の第２リブ部(72b)が差し込まれて、両カバーパネル(３)(５)によって操作ボタン(７)が挟持されている。
この状態で、操作ボタン(７)の第２リブ部(72b)はその十分な突出量で第２溝部(14)に深く差し込まれているので、操作ボタン(７)が第１溝部(13)及び第２溝部(14)から抜け出る虞はない。
【００３３】
上記情報端末機によれば、前面側本体シャーシ(２)と背面側本体シャーシ(４)との間にＯリング(11)が介在すると共に、前面側本体シャーシ(２)の貫通孔(20)には防水パッキン部材(８)が装着されて、本体(１)に対して防水が図られる。
操作ボタン(７)を押圧すると、防水パッキン部材(８)が弾性変形することによって、操作ボタン(７)の押し子(73)がスイッチユニット(９)のタクトスイッチ(92)を押圧し、該タクトスイッチ(92)をオンとする。これによって種々の操作信号が生成される。
【００３４】
図１３〜図３２は、上記情報端末機の組立工程を表わしている。
図１３〜図１６に示す如く、組立工程の第１段階では、前面側本体シャーシ(２)と背面側本体シャーシ(４)とが互いに接合されて、ディスプレイ(10)及び電子回路を内蔵した本体(１)が組み立てられている。
又、図１６に示す如く、前面側本体シャーシ(２)の収容凹部(21)と背面側本体シャーシ(４)の収容凹部(41)とによって形成される収容室には、スイッチユニット(９)が収容され、前面側本体シャーシ(２)の貫通孔(20)には防水パッキン部材(８)が装着されている。
【００３５】
スイッチユニット(９)を前記収容室に収容する際には、先ず、前面側本体シャーシ(２)を収容凹部(21)が上方へ向く姿勢に保持した状態で、該収容凹部(21)にスイッチユニット(９)を差し込む。これによって、スイッチユニット(９)は前面側本体シャーシ(２)の収容凹部(21)内に保持されるので、スイッチユニット(９)を接着テープ等によって固定する必要はない。
その後、前面側本体シャーシ(２)に背面側本体シャーシ(４)を接合して本体(１)を組み立てることにより、背面側本体シャーシ(４)の収容凹部(41)にスイッチユニット(９)の端部を収容する。
【００３６】
図１７〜図２０に示す如く、組立工程の第２段階では、前面側本体シャーシ(２)に前面側カバーパネル(３)を取り付ける。
これによって、図２０の如く、前面側本体シャーシ(２)の側壁と前面側カバーパネル(３)の側壁との間には、上方へ開口する第１溝部(13)が形成されることになる。
【００３７】
図２１〜図２４に示す如く、組立工程の第３段階では、前面側本体シャーシ(２)を下側、背面側本体シャーシ(４)を上側に配置した姿勢で、複数の操作ボタン(７)を取り付ける。
ここでは、図２４に示す如く、操作ボタン(７)を僅かに傾斜させた姿勢で、該操作ボタン(７)の押し子(73)を防水パッキン部材(８)の内部に挿入すると共に、第１リブ部(72a)を第１溝部(13)に差し込む。尚、第１リブ部(72a)が第２リブ部(72b)と同じ突出量を有している構成では、操作ボタン(７)をこの様にして取り付けることは困難である。
【００３８】
図２５〜図２８に示す如く、組立工程の第４段階では、操作ボタン(７)の押し子(73)が防水パッキン部材(８)内を水平に伸びる正規の姿勢に設定する。
この状態で、操作ボタン(７)は、前面側本体シャーシ(２)及び前面側カバーパネル(３)によって保持され、操作ボタン(７)から手を離したとしても脱落する虞はない。
【００３９】
図２９〜図３２に示す如く、組立工程の第５段階では、前面側本体シャーシ(２)を下側、背面側本体シャーシ(４)を上側に配置した姿勢で、背面側本体シャーシ(４)に対して背面側カバーパネル(５)を取り付ける。
これによって、図３２の如く、操作ボタン(７)の第２リブ部(72b)が第２溝部(14)内に収容され、前面側カバーパネル(３)と背面側カバーパネル(５)によって操作ボタン(７)が挟持されることになる。
【００４０】
上記情報端末機の組立工程によれば、図２１〜図２４に示す組立工程の第３段階から、図２５〜図２８に示す組立工程の第４段階にて、本体(１)に前面側カバーパネル(３)のみを取り付けた状態で、複数の操作ボタン(７)をそれぞれ第１溝部(13)に差し込んで取り付けることが出来るので、操作ボタン(７)の組付け作業が極めて容易である。
【００４１】
これに対し、従来は、本体(１)の各防水パッキン部材(８)に操作ボタン(７)の押し子(73)を挿入した状態で全ての防水パッキン部材(８)を手や治具などで保持し、この状態で本体(１)に対して前面側カバーパネル(３)及び背面側カバーパネル(５)を取り付ける作業が採用されていたため、操作ボタン(７)の組付け作業が困難であった。
【００４２】
本発明に係る情報端末機によれば、上述の如くスイッチユニット(９)と防水パッキン部材(８)の位置関係を僅かに変更すると共に、操作ボタン(７)のリブ(72)の突出量を僅かに変更するだけの簡易な構成によって、部品点数及び組立工数の削減を図り、更には組立作業の容易化を図ることが出来る。
【００４３】
尚、本発明の各部構成は上記実施の形態に限らず、特許請求の範囲に記載の技術的範囲内で種々の変形が可能である。
【符号の説明】
【００４４】
(１)  本体
(13)  第１溝部
(14)  第２溝部
(２)  前面側本体シャーシ
(３)  前面側カバーパネル
(４)  背面側本体シャーシ
(５)  背面側カバーパネル
(21)  収容凹部
(41)  収容凹部
(６)  蓋体
(10)  ディスプレイ
(７)  操作ボタン
(72a) 第１リブ部
(72b) 第２リブ部
(73)  押し子
(８)  防水パッキン部材
(９)  スイッチユニット
(91)  フレキシブル基板
(92)  タクトスイッチ
【図１】
2014120203.tif 000003
【図２】
2014120203.tif 000004
【図３】
2014120203.tif 000005
【図４】
2014120203.tif 000006
【図５】
2014120203.tif 000007
【図６】
2014120203.tif 000008
【図７】
2014120203.tif 000009
【図８】
2014120203.tif 000010
【図９】
2014120203.tif 000011
【図１０】
2014120203.tif 000012
【図１１】
2014120203.tif 000013
【図１２】
2014120203.tif 000014
【図１３】
2014120203.tif 000015
【図１４】
2014120203.tif 000016
【図１５】
2014120203.tif 000017
【図１６】
2014120203.tif 000018
【図１７】
2014120203.tif 000019
【図１８】
2014120203.tif 000020
【図１９】
2014120203.tif 000021
【図２０】
2014120203.tif 000022
【図２１】
2014120203.tif 000023
【図２２】
2014120203.tif 000024
【図２３】
2014120203.tif 000025
【図２４】
2014120203.tif 000026
【図２５】
2014120203.tif 000027
【図２６】
2014120203.tif 000028
【図２７】
2014120203.tif 000029
【図２８】
2014120203.tif 000030
【図２９】
2014120203.tif 000031
【図３０】
2014120203.tif 000032
【図３１】
2014120203.tif 000033
【図３２】
2014120203.tif 000034
【図３３】
2014120203.tif 000035